(57)【特許請求の範囲】
【請求項１】
店舗端末とホストコンピュータとを備え、店舗端末とホストコンピュータとが通信回線を介して接続され、店舗端末でカードを使用させるシステムであって、
店舗端末は、カードから、該カードを唯一に識別する情報を読み取ってホストコンピュータに送信する手段を有し、
ホストコンピュータは、カードを唯一に識別する情報と、カードを使用可能な時間帯と、「可」又は「不可」の二値を取るカード使用可否フラグとの組を記憶する手段と、カードを使用可能な時間帯に現在の時刻が含まれない時、カードの利用者からカード使用申請を受け付け、カードを唯一に識別する情報と組になっているカード使用可否フラグを「不可」から「可」に変更する手段と、店舗端末から受信したカードを唯一に識別する情報と組になっているカードを使用可能な時間帯に、現在の時刻が含まれているか否かを判断する手段と、店舗端末から受信したカードを唯一に識別する情報と組になっているカードを使用可能な時間帯に、現在の時刻が含まれている場合、店舗端末でのカードの使用を認める手段と、店舗端末から受信したカードを唯一に識別する情報と組になっているカードを使用可能な時間帯に、現在の時刻が含まれない場合、店舗端末から受信したカードを唯一に識別する情報と組になっているカード使用可否フラグが「可」であるか「不可」であるかを判断する手段と、店舗端末から受信したカードを唯一に識別する情報と組になっているカードを使用可能な時間帯に、現在の時刻が含まれず、かつ、店舗端末から受信したカードを唯一に識別する情報と組になっているカード使用可否フラグが「可」である場合、店舗端末でのカードの使用を認め、店舗端末から受信したカードを唯一に識別する情報と組になっているカード使用可否フラグを「可」から「不可」に変更する手段と、店舗端末から受信したカードを唯一に識別する情報と組になっているカードを使用可能な時間帯に、現在の時刻が含まれず、かつ、店舗端末から受信したカードを唯一に識別する情報と組になっているカード使用可否フラグが「不可」である場合、店舗端末でのカードの使用を認めない手段とを有することを特徴とするカードシステム。
【請求項２】
ホストコンピュータは、カード使用申請を受け付けた時刻から一定時間後、カード使用可否フラグを「可」から「不可」に変更する手段を有することを特徴とする請求項１に記載のカードシステム。
【請求項３】
ホストコンピュータは、カードを唯一に識別する情報と、メールアドレスとの組を記憶する手段と、店舗端末から受信したカードを唯一に識別する情報と組になっているカードを使用可能な時間帯に、現在の時刻が含まれず、かつ、店舗端末から受信したカードを唯一に識別する情報と組になっているカード使用可否フラグが「不可」である場合、店舗端末から受信したカードを唯一に識別する情報と組になっているメールアドレスに、アラートのメールを送信する手段とを有することを特徴とする請求項１又は２に記載のカードシステム。
【請求項４】
ホストコンピュータは、カードの利用者に対して、カードを唯一に識別する情報と組になるカードを使用可能な時間帯の登録、或いは、カードを唯一に識別する情報と組になっているカードを使用可能な時間帯の変更を行わせる手段を有することを特徴とする請求項１〜３のいずれか１項に記載のカードシステム。
【発明の詳細な説明】
【技術分野】
【０００１】
本発明は、カードシステム、方法、及びプログラムに関する。
【背景技術】
【０００２】
従来から、例えば、キャッシュカードやクレジットカードの利用限度額のように、使用限度が決まっており、その使用限度の範囲内であれば使用可能であるカードがある。また、最近では、カードの不正使用や使い過ぎ等を防ぐために、使用可能な地域や店舗が限定されているカードが発行されている（例えば特許文献１参照）。
【０００３】
しかしながら、紛失や盗難の際、使用可能な地域や店舗で不正使用される可能性が高い。
【先行技術文献】
【特許文献】
【０００４】
【特許文献１】特開２００６−３９７２９号公報
【発明の概要】
【発明が解決しようとする課題】
【０００５】
地域によらずカードの不正使用を防止するために、カードを使用可能な時間を限定することが考えられる。
【０００６】
しかしながら、カードを使用可能な時間を限定すると、正当なカードの利用者が、一時的に、カードを使用可能な時間外に、カードを使用する必要性が生じても、カードを使用できないという不都合が生じる。
【０００７】
本発明は、このような事情を考慮してなされたもので、カードの不正使用を防止できると同時に利便性を確保できることを課題とする。
【課題を解決するための手段】
【０００８】
本発明において上記課題を解決するために、まず請求項１の発明では、
店舗端末とホストコンピュータとを備え、店舗端末とホストコンピュータとが通信回線を介して接続され、店舗端末でカードを使用させるシステムであって、
店舗端末は、カードから、該カードを唯一に識別する情報を読み取ってホストコンピュータに送信する手段を有し、
ホストコンピュータは、カードを唯一に識別する情報と、カードを使用可能な時間帯と、「可」又は「不可」の二値を取るカード使用可否フラグとの組を記憶する手段と、カードを使用可能な時間帯に現在の時刻が含まれない時、カードの利用者からカード使用申請を受け付け、カードを唯一に識別する情報と組になっているカード使用可否フラグを「不可」から「可」に変更する手段と、店舗端末から受信したカードを唯一に識別する情報と組になっているカードを使用可能な時間帯に、現在の時刻が含まれているか否かを判断する手段と、店舗端末から受信したカードを唯一に識別する情報と組になっているカードを使用可能な時間帯に、現在の時刻が含まれている場合、店舗端末でのカードの使用を認める手段と、店舗端末から受信したカードを唯一に識別する情報と組になっているカードを使用可能な時間帯に、現在の時刻が含まれない場合、店舗端末から受信したカードを唯一に識別する情報と組になっているカード使用可否フラグが「可」であるか「不可」であるかを判断する手段と、店舗端末から受信したカードを唯一に識別する情報と組になっているカードを使用可能な時間帯に、現在の時刻が含まれず、かつ、店舗端末から受信したカードを唯一に識別する情報と組になっているカード使用可否フラグが「可」である場合、店舗端末でのカードの使用を認め、店舗端末から受信したカードを唯一に識別する情報と組になっているカード使用可否フラグを「可」から「不可」に変更する手段と、店舗端末から受信したカードを唯一に識別する情報と組になっているカードを使用可能な時間帯に、現在の時刻が含まれず、かつ、店舗端末から受信したカードを唯一に識別する情報と組になっているカード使用可否フラグが「不可」である場合、店舗端末でのカードの使用を認めない手段とを有することを特徴とするカードシステムとしたものである。
【０００９】
また、請求項２の発明では、
ホストコンピュータは、カード使用申請を受け付けた時刻から一定時間後、カード使用可否フラグを「可」から「不可」に変更する手段を有することを特徴とする請求項１に記載のカードシステムとしたものである。
【００１０】
また、請求項３の発明では、
ホストコンピュータは、カードを唯一に識別する情報と、メールアドレスとの組を記憶する手段と、店舗端末から受信したカードを唯一に識別する情報と組になっているカードを使用可能な時間帯に、現在の時刻が含まれず、かつ、店舗端末から受信したカードを唯一に識別する情報と組になっているカード使用可否フラグが「不可」である場合、店舗端末から受信したカードを唯一に識別する情報と組になっているメールアドレスに、アラートのメールを送信する手段とを有することを特徴とする請求項１又は２に記載のカードシステムとしたものである。
【００１１】
また、請求項４の発明では、
ホストコンピュータは、カードの利用者に対して、カードを唯一に識別する情報と組になるカードを使用可能な時間帯の登録、或いは、カードを唯一に識別する情報と組になっているカードを使用可能な時間帯の変更を行わせる手段を有することを特徴とする請求項１〜３のいずれか１項に記載のカードシステムとしたものである。
【発明の効果】
【００２０】
請求項１の発明は、カードを使用可能な時間帯は当然のことながら、カードの使用を認め、カードを使用可能な時間帯外でも、カードの利用者からカード使用申請がなされていれば、一時的に、カードの使用を認め、カードを使用可能な時間帯以外では、カードの利用者からカード使用申請がなされていない限り、カードの使用を認めないので、カードを使用可能な時間が減少し、そのため、カードが不正使用される確率を低減できると同時に、カードを使用可能な時間帯外でも、カードを使用可能な時間帯を変更することなく、一時的にカードを使用できるので、カードの利便性を向上できるという効果がある。
【００２１】
請求項２の発明は、カード使用申請を受け付けてから、カードを使用しなくても、一定時間経過すると、カードを使用可能な時間帯以外では、カードを使用できなくなるので、カードが不正使用される確率を、さらに低減できると同時に、カードの利便性を向上できるという効果がある。
【００２２】
請求項３の発明は、カードを使用可能な時間帯以外で、しかも、カードの利用者からカード使用申請がなされていないのに、カードを使用しようとすると、アラートのメールが送信されるので、カードの不正使用を検知することができるという効果がある。
【００２３】
請求項４の発明は、カード利用者が、カードを使用できる時間帯を登録、変更でき、実際に使用する時間帯を登録、或いは、実際に使用する時間帯に変更することで、カードが不正使用される確率を、さらに低減できるという効果がある。
【００２４】
本発明は、カードの不正使用を防止できると同時に利便性を確保できるという効果がある。
【図面の簡単な説明】
【００２５】
【図１】本発明システムの構成を説明する図。
【図２】ホストコンピュータの構成を説明する図。
【図３】顧客情報テーブルを説明する図。
【図４】ネットサービス情報テーブルを説明する図。
【図５】端末５で、使用可能時間帯が登録、変更される際の処理の流れの例を示すフローチャート。
【図６】端末５でカード使用申請を行う際の処理の流れの例を示すフローチャート。
【図７】カードを使用する際の処理の流れの例を示すフローチャート。
【図８】カード使用申請が受け付けられてから、カードが使用されずに、一定時間経過した後に、カード使用可否フラグが「可」から「不可」に変更される際の処理の流れの例を示すフローチャート。
【発明を実施するための形態】
【００２６】
以下に、本発明の一実施形態を説明する。
【００２７】
本発明システムは、図１に示すように、ホストコンピュータ１と、店舗端末２とを備え、ホストコンピュータ１と、店舗端末２とが通信回線３を介して接続されている。また、ホストコンピュータ１は、顧客の端末５にインターネット４を介して接続される。
【００２８】
通信回線３は、例えば、専用回線、電話回線である。
【００２９】
端末５は、例えば、携帯電話、スマートフォン等の携帯端末である。また、端末５は、パソコン等、必ずしも、携帯が容易でないものであっても良い。
【００３０】
ホストコンピュータ１は、図２に示すように、顧客情報記憶部１１と、ネットサービス情報記憶部１２と、カード利用処理部１３と、ネットサービス処理部１４と、通信回線接続部１５と、インターネット接続部１６と、時計装置１７とを備える。
【００３１】
顧客情報記憶部１１は、顧客情報を記憶している記憶装置である。顧客には、カード利用者だけではなく、カードを利用しない者がいても良く、この顧客情報には、カード利用者が、カードを店舗端末２で使用するために必要な情報が含まれる。例えば、顧客情報は、個々の顧客毎に、個々の項目の値に分けられ、図３に示すように、項目「カード番号」、項目「暗証番号」、項目「使用可能時間帯」、項目「カード使用可否フラグ」、項目「申請受付時刻」…、それぞれの値の組を、個々の顧客に対応する行に配列した顧客情報テーブルで記憶される。
【００３２】
ここで、項目「カード番号」の値は、個々のカードを唯一に識別する情報であって、番号からなり、カード番号と呼ばれるものである。カードは、このカードを唯一に識別するカード番号を記憶している記憶媒体を有し、店舗端末２でカードを使用する際に、店舗端末２は、この記憶媒体からカード番号を読み取る。
【００３３】
また、項目「暗証番号」の値は、店舗端末２でカードを使用する際に入力され、カード番号とともに、顧客を認証するのに用いられる情報であって、番号からなり、暗証番号と呼ばれるものである。
【００３４】
また、項目「使用可能時間帯」の値は、カードを使用可能な時間帯（以後、使用可能時間帯とも云う）である。
【００３５】
また、項目「カード使用可否フラグ」の値は、使用時間帯外でもカードが使用可能である否かを表すフラグ（以後、カード使用可否フラグとも云う）であって、「可」、或いは、「不可」の二値を取る。カード使用可否フラグが、「可」である場合は、使用可能時間帯はもちろん、使用可能時間帯外であっても、カードを使用可能であり、カード使用可否フラグが、「不可」である場合は、使用可能時間帯のみ、カードを使用可能であることを意味する。
【００３６】
項目「申請受付時刻」の値は、カード利用者である顧客からのカード使用申請を受け付けた時刻である。カード利用者である顧客からのカード使用申請が受け付けられると、カード使用可否フラグが「不可」から「可」に変更され、カードが使用されると、カード使用可否フラグが「不可」から「可」に変更されるが、カード使用申請が受け付けられてから、カードが使用されずに、一定時間経過した後に、カード使用可否フラグが「可」から「不可」に変更される。
【００３７】
ネットサービス情報記憶部１２は、ネットサービス情報を記憶している記憶装置であって、このネットサービス情報には、顧客の端末５からネットサービスを利用するために必要な情報が含まれる。例えば、ネットサービス情報は、個々の顧客毎に、個々の項目の値に分けられ、図４に示すように、項目「ＩＤ」、項目「パスワード」、項目「メールアドレス」、項目「カード番号」…、それぞれの値の組を、個々の顧客に対応する行に配列したネットサービス情報テーブルで記憶される。
【００３８】
ここで、項目「ＩＤ」の値は、顧客を唯一に識別するＩＤである。
【００３９】
また、項目「パスワード」の値は、ＩＤとともに顧客を認証するのに用いられるパスワードである。
【００４０】
また、項目「メールアドレス」の値は、顧客の端末５のメールアドレスである。
【００４１】
また、項目「カード番号」の値は、顧客が利用しているカードのカード番号である。
【００４２】
カード利用処理部１３は、顧客情報記憶部１に記憶されている顧客情報と、ネットサービス情報部２に記憶されているネットサービス情報とに基づいて、プログラムにより、店舗端末２で読み取られたカード番号と、店舗端末２に入力された暗証番号とにより、顧客認証を行い、顧客認証に成功し、使用可能時間帯である場合、或いは、使用可能時間帯外であっても、カード使用可否フラグが「可」である場合、店舗端末２でのカードの使用を認め、使用可能時間帯外であって、カード使用可否フラグが「可」である場合、店舗端末２でカードが使用されると、カード使用可否フラグを「可」から「不可」に変更し、他方、顧客認証に失敗した場合と、顧客認証に成功しても、使用可能時間帯外であって、しかも、カード使用可否フラグが「不可」である場合、店舗端末２でのカードの使用を認めず、店舗端末２で読み取られたカード番号で識別されるカードの正当な利用者である顧客の端末５に、カードが不正使用されたとのアラート（警告）をメールで送信するための処理を行い、
また、カード使用申請が受け付けられてから、カードが使用されずに、一定時間経過した後に、カード使用可否フラグを「可」から「不可」に変更する装置である。
【００４３】
ネットサービス処理部１４は、顧客情報記憶部１に記憶されている顧客情報と、ネットサービス情報部２に記憶されているネットサービス情報とに基づいて、プログラムにより、端末５に入力されたＩＤとパスワードとにより、顧客の認証を行い、認証に成功した場合、端末５で顧客にネットサービスを利用させるための処理を行う装置である。ネットサービスとしては、例えば、カード使用申請、使用可能時間帯の登録、変更がある。
【００４４】
ネットサービス処理部１４は、使用可能時間帯外で、カード使用申請を受け付けると、カード使用可否フラグを「不可」から「可」に変更し、受付時刻を記録する。
【００４５】
通信回線接続部１５は、ホストコンピュータ１を、通信回線３に接続するための通信装置である。
【００４６】
インターネット接続部１６は、ホストコンピュータ１を、インターネット４に接続するための通信装置であって、不正アクセスから防御するためのファイアーウォール等を備える。
【００４７】
時計装置１７は、現在の時刻を計測する装置である。
【００４８】
以下に、端末５で、使用可能時間帯が登録、変更される際の処理の流れの例を、図５のフローチャートに従って説明する。
【００４９】
＜使用可能時間帯が登録、変更される際の処理の流れ＞（図５参照）
Ｓ（ＳＴＥＰ）１；
ホストコンピュータ１のネットサービス処理部１４は、端末５から接続されると、端末５に対して、ＩＤとパスワードを入力するよう促す表示を行わせる。
【００５０】
Ｓ（ＳＴＥＰ）２；
端末５に、ＩＤとパスワードが入力されると、端末５は、入力されたＩＤとパスワードを、ホストコンピュータ１に送信する。
【００５１】
Ｓ（ＳＴＥＰ）３；
ホストコンピュータ１のネットサービス処理部１４は、端末５からＩＤとパスワードを受信して、端末５から受信したＩＤとパスワードをそれぞれ項目「ＩＤ」と項目「パスワード」の値とする行が、図４に示すネットサービス情報テーブルに存在するかを確認する顧客認証を行う。
【００５２】
Ｓ（ＳＴＥＰ）４；
存在する場合、顧客認証に成功したとして、ＳＴＥＰ５に進み、
他方、存在しない場合、顧客認証に失敗したとして、ＥＮＤに進む。
【００５３】
Ｓ（ＳＴＥＰ）５；
ホストコンピュータ１は、端末５に対して、ネットサービスの一覧から希望するものを選択するよう促す表示を行わせる。
【００５４】
Ｓ（ＳＴＥＰ）６；
使用可能時間帯の登録、変更が選択されると、端末５は、使用可能時間帯の登録、変更が選択されたことをホストコンピュータ１に送信する。
【００５５】
Ｓ（ＳＴＥＰ）７；
ホストコンピュータ１のネットサービス処理部１４は、端末５から、使用可能時間帯の登録、変更が選択されたことを受信して、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「使用可能時間帯」の値を検索し、検索して得た項目「使用可能時間帯」の値が空白であるか否かで使用可能時間帯が未登録であるか否かを確かめる。
【００５６】
Ｓ（ＳＴＥＰ）８；
空白の場合、未登録であるとして、ＳＴＥＰ９に進み、
他方、空白でない場合、既登録であるとして、ＳＴＥＰ１２に進む。
【００５７】
Ｓ（ＳＴＥＰ）９；
ホストコンピュータ１のネットサービス処理部１４は、端末５に対して、使用可能時間帯を入力するよう促す表示を行わせる。
【００５８】
Ｓ（ＳＴＥＰ）１０；
端末５に、使用可能時間帯が入力されると、端末５は、入力された使用可能時間帯を、ホストコンピュータ１に送信する。
【００５９】
Ｓ（ＳＴＥＰ）１１；
ホストコンピュータ１のネットサービス処理部１４は、端末５から使用可能時間帯を受信して、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「使用可能時間帯」の値として、端末５から受信した使用可能時間帯を登録し、この行の項目「カード使用可否フラグ」の値が「可」ならば「不可」に変更し、「不可」ならば、そのままにしておく。そして、ＥＮＤに進む。
【００６０】
Ｓ（ＳＴＥＰ）１２；
ホストコンピュータ１のネットサービス処理部１４は、端末５に対して、検索して得た項目「使用可能時間帯」の値の表示と、この値の変更を希望するか否かを入力するよう促す表示を行わせる。
【００６１】
Ｓ（ＳＴＥＰ）１３；
端末５に、変更を希望することが入力された場合、ＳＴＥＰ１４に進み、
他方、端末５に、変更を希望しないことが入力された場合、ＳＴＥＰ１８に進む。
【００６２】
Ｓ（ＳＴＥＰ）１４；
端末５は、変更を希望することをホストコンピュータ１に送信する。
【００６３】
Ｓ（ＳＴＥＰ）１５；
ホストコンピュータ１のネットサービス処理部１４は、端末５から、変更を希望することを受信して、端末５に対して、使用可能時間帯を入力するよう促す表示を行わせる。
【００６４】
Ｓ（ＳＴＥＰ）１６；
端末５に使用可能時間帯が入力されると、端末５は、入力された使用可能時間帯を、ホストコンピュータ１に送信する。
【００６５】
Ｓ（ＳＴＥＰ）１７；
ホストコンピュータ１のネットサービス処理部１４は、端末５から使用可能時間帯を受信して、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「使用可能時間帯」の値を、端末５から受信した使用可能時間帯に、変更し、この行の項目「カード使用可否フラグ」の値が「可」ならば「不可」に変更し、「不可」ならば、そのままにしておく。そして、ＥＮＤに進む。
【００６６】
Ｓ（ＳＴＥＰ）１８；
端末５は、変更を希望しないことをホストコンピュータ１に送信する。
【００６７】
Ｓ（ＳＴＥＰ）１９；
ホストコンピュータ１のネットサービス処理部１４は、端末５から、変更を希望しないことを、受信する。そして、ＥＮＤに進む。
【００６８】
以下に、端末５でカード使用申請を行う際の処理の流れの例を、図６のフローチャートに従って説明する。
【００６９】
＜カード使用申請を行う際の処理の流れ＞（図６参照）
Ｓ（ＳＴＥＰ）１；
ホストコンピュータ１のネットサービス処理部１４は、端末５から接続されると、端末５に対して、ＩＤとパスワードを入力するよう促す表示を行わせる。
【００７０】
Ｓ（ＳＴＥＰ）２；
端末５に、ＩＤとパスワードが入力されると、端末５は、入力されたＩＤとパスワードを、ホストコンピュータ１に送信する。
【００７１】
Ｓ（ＳＴＥＰ）３；
ホストコンピュータ１のネットサービス処理部１４は、端末５からＩＤとパスワードを受信して、端末５から受信したＩＤとパスワードをそれぞれ項目「ＩＤ」と項目「パスワード」の値とする行が、図４に示すネットサービス情報テーブルに存在するかを確認する顧客認証を行う。
【００７２】
Ｓ（ＳＴＥＰ）４；
存在する場合、顧客認証に成功したとして、ＳＴＥＰ５に進み、
他方、存在しない場合、顧客認証に失敗したとして、ＥＮＤに進む。
【００７３】
Ｓ（ＳＴＥＰ）５；
ホストコンピュータ１のネットサービス処理部１４は、端末５に対して、ネットサービ
スの一覧から希望するものを選択するよう促す表示を行わせる。
【００７４】
Ｓ（ＳＴＥＰ）６；
カード使用申請が選択されると、端末５は、カード使用申請が選択されたことをホストコンピュータ１に送信する。
【００７５】
Ｓ（ＳＴＥＰ）７；
ホストコンピュータ１のネットサービス処理部１４は、端末５から、カード使用申請が選択されたことを受信して、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「使用可能時間帯」の値に、時計装置１７が示す現在の時刻が含まれる否かで、現在の時刻が使用時間帯内であるか否かを判断する。
【００７６】
Ｓ（ＳＴＥＰ）８；
現在の時刻が使用時間帯内である場合、ＳＴＥＰ９に進み、
現在の時刻が使用時間帯外である場合、ＳＴＥＰ１０に進む。
【００７７】
Ｓ（ＳＴＥＰ）９；
ホストコンピュータ１のネットサービス処理部１４は、端末５に対して、使用時間帯内なのでカード利用申請ができないことを示す表示を行わせる。そして、ＥＮＤに進む。
【００７８】
Ｓ（ＳＴＥＰ）１０；
ホストコンピュータ１のネットサービス処理部１４は、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「カード使用可否フラグ」の値が、「不可」であるか、「可」であるかを確かめる。
【００７９】
Ｓ（ＳＴＥＰ）１１；
「不可」である場合、ＳＴＥＰ１２に進み、
「可」である場合、ＳＴＥＰ１４に進む。
【００８０】
Ｓ（ＳＴＥＰ）１２；
ホストコンピュータ１のネットサービス処理部１４は、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「カード使用可否フラグ」の値を「不可」から「可」に変更し、かつ、この行の項目「申請受付時刻」の値を、時計装置１７が示す現在の時刻とする。
【００８１】
Ｓ（ＳＴＥＰ）１３；
ホストコンピュータ１のネットサービス処理部１４は、端末５に対して、カード利用申請を受け付けたことを示す表示を行わせる。そして、ＥＮＤに進む。
【００８２】
Ｓ（ＳＴＥＰ）１４：
ホストコンピュータ１のネットサービス処理部１４は、端末５に対して、カード利用申請が既になされていることを示す表示を行わせる。そして、ＥＮＤに進む。
【００８３】
以下に、カードを使用する際の処理の流れの例を、図７のフローチャートに従って説明する。
【００８４】
＜カードを使用する際の処理の流れ＞（図７参照）
Ｓ（ＳＴＥＰ）１；
店舗端末２は、カードの記憶媒体から、カード番号を読み取る。
【００８５】
Ｓ（ＳＴＥＰ）２；
店舗端末２は、暗証番号を入力するよう促す表示をする。
【００８６】
Ｓ（ＳＴＥＰ）３；
店舗端末２に暗証番号が入力されると、店舗端末２は、読み取ったカード番号と、入力された暗証番号とを、ホストコンピュータ１に送信する。
【００８７】
Ｓ（ＳＴＥＰ）４；
ホストコンピュータ１のカード利用処理部１３は、店舗端末２から、カード番号と暗証番号を受信して、店舗端末２から受信したカード番号と暗証番号をそれぞれ項目「カード番号」と項目「暗証番号」の値とする行が、図３に示す顧客情報テーブルに存在するかを確認する顧客認証を行う。
【００８８】
Ｓ（ＳＴＥＰ）５；
存在する場合、顧客認証に成功したとして、ＳＴＥＰ６に進み、
他方、存在しない場合、顧客認証に失敗したとして、ＳＴＥＰ１３に進む。
【００８９】
Ｓ（ＳＴＥＰ）６；
ホストコンピュータ１のカード利用処理部１３は、図３に示す顧客情報テーブルにおいて、ＳＴＥＰ４で店舗端末２から受信したカード番号を項目「カード番号」の値とする行の項目「使用可能時間帯」の値を検索し、この項目「使用可能時間帯」の値に、時計装置１７が示す現在の時刻が含まれる否かで、カードの使用が可能か否かを判断する。
【００９０】
Ｓ（ＳＴＥＰ）７；
現在の時刻が含まれる場合、カードの使用が可能であるとして、ＳＴＥＰ８に進み、
他方、現在の時刻が含まれない場合、ＳＴＥＰ９に進む。
【００９１】
Ｓ（ＳＴＥＰ）８；
ホストコンピュータ１のカード利用処理部１３は、店舗端末２で、カードを使用させる。そして、ＥＮＤに進む。
【００９２】
Ｓ（ＳＴＥＰ）９；
ホストコンピュータ１のカード利用処理部１３は、図３に示す顧客情報テーブルにおいて、ＳＴＥＰ４で店舗端末２から受信したカード番号を項目「カード番号」の値とする行の項目「カード使用可否フラグ」の値を検索し、この項目「カード使用可否フラグ」の値であるカード使用可否フラグが「可」であるか「不可」であるかで、カードの使用が可能か否かを判断する。
【００９３】
Ｓ（ＳＴＥＰ）１０；
カード使用可否フラグが「可」である場合、カードの使用が可能であるとして、ＳＴＥＰ１１に進み、
カード使用可否フラグが「不可」である場合、カードの使用が不可能であるとして、ＳＴＥＰ１３に進む。
【００９４】
Ｓ（ＳＴＥＰ）１１；
ホストコンピュータ１のカード利用処理部１３は、店舗端末２で、カードを使用させる
。
【００９５】
Ｓ（ＳＴＥＰ）１２；
ホストコンピュータ１のカード利用処理部１３は、図３に示す顧客情報テーブルにおいて、ＳＴＥＰ４で店舗端末２から受信したカード番号を項目「カード番号」の値とする行の項目「カード使用可否フラグ」の値を「可」から「不可」に変更する。そして、ＥＮＤに進む。
【００９６】
Ｓ（ＳＴＥＰ）１３；
ホストコンピュータ１のカード利用処理部１３は、店舗端末２に対して、カードの使用ができないことを示す表示を行わせる。
【００９７】
Ｓ（ＳＴＥＰ）１４；
ホストコンピュータ１のカード利用処理部１３は、図４に示すネットサービス情報テーブルにおいて、ＳＴＥＰ４で店舗端末２から受信したカード番号を項目「カード番号」の値とする行の項目「メールアドレス」の値に、カードが不正使用されたとのアラート（警告）のメールを送信する。そして、ＥＮＤに進む。
【００９８】
以下に、カード使用申請が受け付けられてから、カードが使用されずに、一定時間経過した後に、カード使用可否フラグが「可」から「不可」に変更される際の処理の流れの例を、図８のフローチャートに従って説明する。
【００９９】
＜カードを使用されないときの処理の流れ＞（図８参照）
Ｓ（ＳＴＥＰ）１；
ホストコンピュータ１のカード利用処理部１３は、図３に示す顧客情報テーブルにおいて、項目「申請受付時刻」の値が、時計装置１７が示す現在の時刻から一定時間以前であり、項目「カード使用可否フラグ」の値が「可」である行が存在するか否かを確認する。
【０１００】
Ｓ（ＳＴＥＰ）２；
存在する場合、ＳＴＥＰ３に進み、
存在しない場合、ＥＮＤに進む。
【０１０１】
Ｓ（ＳＴＥＰ）３；
ホストコンピュータ１のカード利用処理部１３は、図３に示す顧客情報テーブルにおいて、項目「申請受付時刻」の値が、時計装置１７が示す現在の時刻から一定時間以前であり、項目「カード使用可否フラグ」の値が「可」である行で、項目「カード使用可否フラグ」の値を「可」から「不可」に変更する。そして、ＥＮＤに進む。
【符号の説明】
【０１０２】
１…ホストコンピュータ
２…店舗端末
３…通信回線
４…インターネット
５…端末
１１…顧客情報記憶部
１２…ネットサービス情報記憶部
１３…カード利用処理部
１４…ネットサービス処理部
１５…通信回線接続部
１６…インターネット接続部
１７…時計装置
【図１】
0006651831.tif 000002
【図２】
0006651831.tif 000003
【図３】
0006651831.tif 000004
【図４】
0006651831.tif 000005
【図５】
0006651831.tif 000006
【図６】
0006651831.tif 000007
【図７】
0006651831.tif 000008
【図８】
0006651831.tif 000009